(57)【要約】【課題】吸引ノズル構成の簡略化により、部品廃止による製造コスト、組み立て工数の低減したフィルタ装置の吸入ノズルを提供することを目的とする。【解決手段】吸引ノズルは、エアフィルタ面側にエアフィルタの長手方向全長に渡って開口部が設けられた内側ケースと、内側ケースの外側に設けられ開口部を覆いつつその一部に相当する位置に吸引口が形成されたフイルムと、フイルムに連結され吸引口を開口部に沿って駆動させるためのフイルム駆動手段と、フイルムを支持して駆動力を伝えるギヤとフイルムを支持して円滑に駆動させるためのローラと内側ケースに固定され吸引口以外の前記フイルムを覆うようにフイルムを支持する外郭カバーに誘い形状を設けることで、部品廃止による製造コスト、組み立て工数の低減が可能となる。【選択図】図２
2010091187.tif 000002
【特許請求の範囲】
【請求項１】
熱交換器の風上側の前面側と天面側を覆うように配置され前記熱交換器を通過する空気の塵境を除去するためのエアフィルタと、前記エアフィルタの断面形状に沿うように前記エアフィルタの風上側に設けられ前記エアフィルタの水平方向に駆動されるとともに内面側に空間を有する吸引ノズルと、屈曲性を有するホースを介して前記吸引ノズルに連結された吸引装置とで構成されたフィルタ装置を備えた空気調和機において、前記吸引ノズルは、前記エアフィルタ面側に前記エアフィルタの長手方向全長に渡って開口部が設けられた内側ケースと、前記内側ケースの外側に設けられ前記開口部を覆いつつその一部に相当する位置に吸引口が形成されたフイルムと、前記フイルムに連結され前記吸引口を前記開口部に沿って駆動させるためのフイルム駆動手段と、前記フイルムを支持して駆動力を伝えるギヤとフイルムを支持して円滑に駆動させるためのローラと前記内側ケースに固定され前記吸引口以外の前記フイルムを覆うように前記フイルムを支持する外郭カバーに誘い形状を設けた吸入ノズルを特徴とする空気調和機のフィルタ装置。
【発明の詳細な説明】
【技術分野】
【０００１】
本発明は、空気調和機のフィルタ装置に関し、特にフィルタ装置における吸入ノズルの構造に関するものである。
【背景技術】
【０００２】
従来の空気調和機のフィルタ装置における吸入ノズルの構造について図５を用いて詳細に説明する。
図５は、従来の吸引ノズルの構造を示した分解斜視図（裏面図）である。吸引ノズルは、吸引した風の流通路を構成するノズル内側ケース８と、ノズル内側ケース８を囲むように設けられたフイルム９と、フイルム９を支持して駆動力を伝えるギヤ１４ａとギヤ受け具１４ｂと、フイルム９を支持して円滑に駆動させるためのローラ１５ａ、１５ｂから構成される。ノズル内側ケース８のエアフィルタ側の面には、エアフィルタ２の縦長さに相当する長さでスリット状のノズル開口部１０が設けてある。
一方、フイルム９はループ状に形成され、ノズル開口部１０を覆うようにノズル内側ケース８の外周に巻き付けられる。フイルム９のエアフィルタ面側には、エアフィルタ縦長さの１／１２の長さの吸引口１６が設けてあり、吸引口１６がノズル開口部１０に相対する位置にフイルム９は取り付けられる。フイルム９の両端には等間隔の駆動穴１２が設けられており、ステッピングモータ１３に連結されたギヤ１４ａが、駆動穴１２に噛み合うことによってフイルム９は上下方向のいずれにも自在に駆動できるようになっている。
フイルム９は、外郭カバー１７と１８をノズル内側ケース８に固定することで支持される。外郭カバー１７には、フイルム９を抑える位置にＵ字状の切欠き１７ａが複数個設けられている。
【０００３】
そして、組み立て作業性を考慮し、ギヤ受け具１４ｂを設けることでギヤ１４ａの仮固定ができ、外郭カバー１８が取り付けしやすい構造としている。また、外郭カバー１８を３分割することで作業性及びフイルム９の噛み込み防止を考慮している。
【特許文献１】特開２００７−１０７８２７号公報
【発明の開示】
【発明が解決しようとする課題】
【０００４】
しかしながら、上記従来の吸引ノズルの構成では、部品点数が多く低コストかを阻害しているが、かといって信頼性及び作業性向上を考慮すると、安易に部品を廃止するなどして製造コスト、組み立て工数を低減することはできないという課題を有していた。
【０００５】
本発明は、前記従来の課題を解決するもので、フィルタ装置の吸入ノズルの構成において、従来の作業性を考慮し、製造コスト、組み立て工数の低減を目的とする。
【課題を解決するための手段】
【０００６】
前記従来の課題を解決するたに、本発明の吸引ノズルは、エアフィルタ面側にエアフィルタの長手方向全長に渡って開口部が設けられた内側ケースと、内側ケースの外側に設けられ開口部を覆いつつその一部に相当する位置に吸引口が形成されたフイルムと、フイルムに連結され吸引口を開口部に沿って駆動させるためのフイルム駆動手段と、フイルムを支持して駆動力を伝えるギヤとフイルムを支持して円滑に駆動させるためのローラと内側ケースに固定され吸引口以外の前記フイルムを覆うようにフイルムを支持する外郭カバーに誘い形状を設けた構成を有するものである
【発明の効果】
【０００７】
本発明の吸引ノズルは、エアフィルタ面側にエアフィルタの長手方向全長に渡って開口部が設けられた内側ケースと、内側ケースの外側に設けられ開口部を覆いつつその一部に相当する位置に吸引口が形成されたフイルムと、フイルムに連結され吸引口を開口部に沿って駆動させるためのフイルム駆動手段と、フイルムを支持して駆動力を伝えるギヤとフイルムを支持して円滑に駆動させるためのローラと内側ケースに固定され吸引口以外のフイルムを覆うようにフイルムを支持する外郭カバーに誘い形状を設けたことで部品廃止ができ、従来の作業性を維持できる構成を特徴とし、製造コスト、組み立て工数の低減ができる。フィルタ装置の吸入ノズルを提供することができる。
【発明を実施するための最良の形態】
【０００８】
第１の発明は、熱交換器の風上側の前面側と天面側を覆うように配置され熱交換器を通過する空気の塵境を除去するためのエアフィルタと、エアフィルタの断面形状に沿うようにエアフィルタの風上側に設けられエアフィルタの水平方向に駆動されるとともに内面側に空間を有する吸引ノズルと、屈曲性を有するホースを介して吸引ノズルに連結された吸引装置とで構成されたフィルタ装置を備えた空気調和機において、吸引ノズルは、エアフィルタ面側にエアフィルタの長手方向全長に渡って開口部が設けられた内側ケースと、内側ケースの外側に設けられ開口部を覆いつつその一部に相当する位置に吸引口が形成されたフイルムと、フイルムに連結され吸引口を開口部に沿って駆動させるためのフイルム駆動手段と、フイルムを支持して駆動力を伝えるギヤとフイルムを支持して円滑に駆動させるためのローラと内側ケースに固定され吸引口以外のフイルムを覆うようにフイルムを支持する外郭カバーに誘い形状を設けた構成を有するものである。
【０００９】
これによって、部品廃止による製造コスト、組み立て工数の低減でき、従来の作業性を維持できるというものである。
【００１０】
以下本発明を実施するための形態ついて、図面を参照しながら説明する。
（実施の形態１）
図１は、本発明の実施の形態１における空気調和機のフィルタ装置の構成例を示した図である。この図において、熱交換器を通過する空気の塵境を除去するためエアフィルタ２は、前面側と天面側に配置されフィルターワク１に支持固定されており、エアフィルタ−２の風上側には、エアフィルタ２に沿ってＬ型の形状をした箱状の吸引ノズル３が設けられている。
【００１１】
吸引ノズル３はフィルターワク１の上下端に設置されたガイドレール４により、エアフィルタ２と極めて狭い間隙を保って円滑に左右に移動することができる。エアフィルタ２上に付着した塵境はこの吸引ノズル３より吸引される。また、吸引ノズル３には吸引ホース５が連結され、さらに吸引ホース５は吸引装置６に連結されている。吸引ホース５は吸引ノズル３の移動に差し支えないように屈曲性を有する。さらに、吸引装置６には排気ダクト７が連結され、室外へ引き回される。吸引ノズル３により吸引されたエアフィルタ２の塵境は吸引ダクト５、吸引装置６、排気ダクト７を経由して室外へ排出される。
【００１２】
次に、空気調和機のフィルタ装置における吸入ノズルの構造について、図２、図３を用いて詳細に説明する。
【００１３】
図２の吸入ノズル分解者斜視図（裏側）のように、吸引ノズル３は、吸引した風の流通路を構成するノズル内側ケース８と、ノズル内側ケース８を囲むように設けられたフイルム９と、フイルム９を支持して駆動力を伝えるギヤ１４ａとフイルム９を支持して円滑に駆動させるためのローラ１５ａ、１５ｂから構成される。ノズル内側ケース８のエアフィルタ側の面には、エアフィルタ２の縦長さに相当する長さでスリット状のノズル開口部１０が設けてある。
【００１４】
一方、フイルム９はループ状に形成され、ノズル開口部１０を覆うようにノズル内側ケース８の外周に巻き付けられる。フイルム９のエアフィルタ面側には、エアフィルタ縦長さの１／９の長さの吸引口１６が設けてあり、吸引口１６がノズル開口部１０に相対する位置にフイルム９は取り付けられる。フイルム９の両端には等間隔の駆動穴１２が設けられており、ステッピングモータ１３に連結されたギヤ１４ａが、駆動穴１２に噛み合うことによってフイルム９は上下方向のいずれにも自在に駆動できるようになっている。
【００１５】
フイルム９は、外郭カバー１７と１８ａ、１８ｂ、１８ｃをノズル内側ケース８に固定することで支持される。外郭カバー１７には、フイルム９を抑える位置にＵ字状の切欠き１７ａが複数個設けられている。
【００１６】
また、図３の断面図（一部分の断面表側）のように外郭カバー１８ｃにローラ１５ｂとギヤ１４ａを支持する穴部１９ａがあり、その穴部１９ａの外周には、円柱凸形状で内面には面取りした斜面の誘い形状１９ｂを設けたことで、外郭カバー１８ｃの組み立て時には、ローラ１５ｂとギヤ１４ａの先端部がスムーズに穴部１９ａに挿入できる。また、従来部品のギヤ受け具の廃止ができ、製造コスト、組み立て工数の低減ができる。
【００１７】
図４は組み付け後の吸引ノズル３の斜視図（裏面図）である。
【産業上の利用可能性】
【００１８】
以上のように、本発明に係る空気調和機のフィルタ装置の吸入ノズルは、構成において、簡略化することで、組み立て工数の低減ができ、且つ信頼性の高いフイルム駆動性を実現できるので、空気調和機のみならず空気清浄機や加湿器等のフィルタにも適用できる
【図面の簡単な説明】
【００１９】
【図１】本発明の実施の形態１における空気調和機に設けられたフィルタ装置の斜視図
【図２】本発明のフィルタ装置に設けられた吸引ノズルの分解斜視図
【図３】本発明の吸入ノズル断面図
【図４】本発明の吸引ノズルの組立て後の斜視図
【図５】従来の吸入ノズル分解斜視図
【符号の説明】
【００２０】
１  フィルターワク
２  エアフィルタ
３  吸引ノズル
４  ガイドレール
５  吸引ホース
６  吸引装置
７  排気ダクト
８  ノズル内側ケース
９  フイルム
１０    ノズル開口部
１２    駆動穴
１３    ステッピングモータ
１４ａ  ギヤ
１５ａ  ローラ
１５ｂ  ローラ
１６    吸引口
１７    外郭カバー
１７ａ  Ｕ字状切欠き
１８ａ  外郭カバー
１８ｂ  外郭カバー
１８ｃ  外郭カバー
１９ａ  穴部
１９ｂ  面取りした斜面の誘い形状
【図１】
2010091187.tif 000003
【図２】
2010091187.tif 000004
【図３】
2010091187.tif 000005
【図４】
2010091187.tif 000006
【図５】
2010091187.tif 000007